(57)【特許請求の範囲】
【請求項１】
静止画表示時に、階調０〜（ｎ−１）からなるｎ（ｎは４以上の整数）種の全階調に対して各階調に相当する印加電圧を画素に出力する一方、
動画表示時には、所定階調ｍ（１≦ｍ≦（ｎ−２））未満の各階調に相当する各印加電圧に代えて該所定階調ｍに相当する印加電圧を画素に出力することを特徴とする液晶表示装置の駆動方法。
【請求項２】
前記液晶表示装置はノーマリーブラック方式を採用していることを特徴とする請求項１記載の液晶表示装置の駆動方法。
【請求項３】
全階調が階調０（黒）〜２５５（白）からなる場合において、ノーマリーブラック方式のときには、前記所定階調ｍは、１≦ｍ≦３２であることを特徴とする請求項１又は２載の液晶表示装置の駆動方法。
【請求項４】
全階調が階調０（黒）〜２５５（白）からなる場合において、ノーマリーブラック方式のときには、前記所定階調ｍは、９≦ｍ≦１５であることを特徴とする請求項１又は２記載の液晶表示装置の駆動方法。
【請求項５】
動画表示時における前記所定階調ｍ〜階調（ｎ−１）に相当する印加電圧は、静止画表示時における、所定階調ｍ〜階調（ｎ−１）に相当する静止画用印加電圧と同一であることを特徴とする請求項１又は２に記載の液晶表示装置の駆動方法。
【請求項６】
静止画表示時に、階調０〜（ｎ−１）からなるｎ（ｎは４以上の整数）種の全階調に対して各階調に相当する印加電圧を画素に出力する一方、
動画表示時には、所定階調ｑ（１≦ｑ≦（ｎ−１））以上の各階調に相当する各印加電圧に代えて該所定階調ｑ−１に相当する印加電圧を画素に出力することを特徴とする液晶表示装置の駆動方法。
【請求項７】
前記液晶表示装置はノーマリーホワイト方式を採用していることを特徴とする請求項６記載の液晶表示装置の駆動方法。
【請求項８】
全階調が階調０（黒）〜２５５（白）からなる場合において、ノーマリーホワイト方式のときには、前記所定階調ｑは、２２４≦ｑ≦２５５であることを特徴とする請求項６又は７記載の液晶表示装置の駆動方法
【請求項９】
全階調が階調０（黒）〜２５５（白）からなる場合において、ノーマリーホワイト方式のときには、前記所定階調ｑは、２４１≦ｑ≦２４７であることを特徴とする請求項６又は７記載の液晶表示装置の駆動方法。
【請求項１０】
動画表示時における階調０〜前記所定階調ｑ−１に相当する印加電圧は、静止画表示時における、階調０〜所定階調ｑ−１に相当する印加電圧と同一であることを特徴とする請求項６又は７記載の液晶表示装置の駆動方法。
【請求項１１】
静止画動画判定信号に基づいて、静止画であるか又は動画であるかを判定することを特徴とする請求項１、２、６又は７記載の液晶表示装置の駆動方法。
【発明の詳細な説明】
【技術分野】
【０００１】  本発明は、液晶表示装置の駆動方法に関するものであり、特に、動画表示時の応答速度を改善し得る液晶表示装置の駆動方法に関する。
【背景技術】
【０００２】  従来、液晶表示装置においては、応答速度の低さが問題となっている。すなわち、液晶表示装置における表示階調の変更は、液晶層への印加電圧を変化させることによって液晶分子の配向状態を変化させ、表示画素の透過率を変化させている。そして、液晶表示装置における応答速度の低さは、液晶層への印加電圧を変化に対して、液晶分子の配向状態変化が完了するまでの時間が長いことに起因している。【０００３】  近年、液晶ＴＶ、携帯ＴＶ及び携帯ゲーム機等の液晶表示装置では、液晶によって高画質で動画を表示する機会が増えていることから高速応答を行う必要が高まっている。これに対して、高画質化技術は同時に応答速度を下げてしまうことも多い（ＡＳＶ、モバイルＡＳＶ等）。【０００４】  応答速度の改善を試みる方法としては、例えば、日本国公開特許公報「特開２００４−７８１２９号公報（２００４年３月１１日公開）」に開示されているように、オーバーシュート駆動を行い、遷移階調を強調する方法が知られている。すなわち、オーバーシュート駆動では、図９に示すように、初期０階調の初期輝度Ａを目標階調６４の目標輝度Ｃにするときに、一旦、目標輝度Ｃよりも大きいオーバー輝度Ｂに相当する電圧を液晶に短時間だけ印加する。これにより、液晶には大きな電圧がかかるので、目標輝度Ｃへの応答時間を早めることができるものである。【０００５】  しかしながら、この方法では、同図に示すように、目標輝度Ｃに到達するまでに、この目標輝度Ｃよりも明るいオーバー輝度Ｂという尖った角ができる所謂角応答（２段階応答）等の映像劣化が見られる。この目標輝度Ｃ以上に出てしまう角の存在により、瞬間的に白っぽく見えてしまう。これが非常に目立つので、角が出ないように駆動する必要がある。【０００６】  しかし、オーバードライブ量を変更しても左側の角の部分の大きさが変わるだけで、その右側のスロープ部分は改善されない。したがって、表示は改善されない。また、オーバードライブ量を大きくし過ぎると、上述したように、角の部分が白く際立って表示され、表示品位を劣化させる。【０００７】  さらに、オーバーシュート駆動を行っても、低階調域では上述した応答速度の低さにより、十分な速度が得られないことがある。【０００８】  すなわち、液晶表示装置における上述の応答速度の低さは、全ての階調レベル領域において均等に発生するのではなく、一部の階調領域で応答速度が極めて低くなるものである。例えば、垂直配向かつノーマリーブラック方式の液晶表示装置（モバイルＡＳＶ）においては、低階調（黒表示）から中間調への立ち上がり応答速度が極めて遅い。また、ノーマリーホワイト方式の液晶表示装置（モバイルＡＳＶ）においては、高階調（白表示）から中間調への応答速度が極めて遅い。これら応答速度の遅さは、残像等の表示上の問題になっている。【０００９】  具体的には、ノーマリーホワイト方式においては、図１０に示すように、各開始階調から各到達階調に到達するときの応答時間は、各開始階調値２５５〜２２４から到達階調値２５５〜２２４、又は到達階調値２２４〜１９２への遷移が特に応答時間が大きいことがわかる。【００１０】  また、ノーマリーブラック方式においては、図１１に示すように、各開始階調から各到達階調に到達するときの応答時間は、各開始階調値０〜３２から到達階調値３２〜６４、又は到達階調値６４〜９４への遷移が特に応答時間が大きいことがわかる。【００１１】  そこで、例えば日本国公開特許公報「特開２００２−１３１７２１号公報（２００２年５月９日公開）」では、応答速度が遅くなる階調レベルを使わずに表示を行うことにより、応答速度を改善する方法が開示されている。なお、通常、液晶表示装置を駆動するために使用する液晶印加電圧は、図１２に示す階調−輝度曲線で示される。【００１２】  しかしながら、上記特開２００２−１３１７２１号公報における上記従来の液晶表示装置の駆動方法では、応答速度が遅くなる階調レベルを使用しないようにするのに際して、開始電圧を所定の電圧だけ高くしている。したがって、静止画表示時には、前記図１２に示す階調−輝度曲線で示される通常の輝度特性を使用することができない。【００１３】  本発明は、上記従来の問題点に鑑みなされたものであって、その目的は、静止画及び動画のいずれにおいても、表示品質の低下を招くことなく、かつ動画表示時において応答速度を改善し得る液晶表示装置の駆動方法を提供することにある。
【発明の開示】
【００１４】  本発明の液晶表示装置の駆動方法は、上記課題を解決するために、静止画表示時に、階調０〜（ｎ−１）からなるｎ（ｎは４以上の整数）種の全階調に対して各階調に相当する印加電圧を画素に出力する一方、動画表示時には、所定階調ｍ（１≦ｍ≦（ｎ−１））未満の各階調に相当する各印加電圧に代えて該所定階調ｍに相当する印加電圧を画素に出力する。
【００１５】  上記の発明によれば、静止画表示時においては、通常の階調を表示することができる。一方、動画表示時には、所定階調ｍ（１≦ｍ≦（ｎ−２））未満の各階調に相当する各印加電圧に代えて該所定階調ｍに相当する印加電圧を画素に出力するので、所定階調ｍ未満の各階調に相当する各印加電圧を使用しない。したがって、応答速度を改善することができる。
【００１６】  さらに、所定階調ｍ未満の各階調に相当する各印加電圧を使用しないので、例えばオーバードライブ駆動を行った場合には、所謂角応答を防止することができる。
【００１７】  この結果、静止画及び動画のいずれにおいても、表示品質の低下を招くことなく、かつ動画表示時において応答速度を改善し得る液晶表示装置の駆動方法を提供することができる。
【００１８】  また、本発明の液晶表示装置の駆動方法では、液晶表示装置はノーマリーブラック方式を採用していることが好ましい。
【００１９】  これにより、ノーマリーブラック方式の場合には低階調域において応答速度が遅くなるので、その応答速度を改善することができる。
【００２０】  また、本発明の液晶表示装置の駆動方法は、上記課題を解決するために、静止画表示時に、階調０〜（ｎ−１）からなるｎ（ｎは４以上の整数）種の全階調に対して各階調に相当する印加電圧を画素に出力する一方、動画表示時には、所定階調ｑ（１≦ｑ≦（ｎ−１））以上の各階調に相当する各印加電圧に代えて該所定階調ｑ−１に相当する印加電圧を画素に出力する。
【００２１】  また、本発明の液晶表示装置の駆動方法では、前記液晶表示装置はノーマリーホワイト方式を採用していることが好ましい。
【００２２】  これにより、ノーマリーホワイト方式においてもノーマリーブラック方式と同様に、静止画及び動画のいずれにおいても、表示品質の低下を招くことなく、かつ動画表示時において応答速度を改善し得る液晶表示装置の駆動方法を提供することができる。
【００２３】  また、本発明の液晶表示装置の駆動方法では、静止画動画判定信号に基づいて、静止画であるか又は動画であるかを判定することが好ましい。
【００２４】  これにより、静止画動画判定信号を取得して、容易に静止画又は動画を判定し、静止画の場合は全ての階調で通常駆動を行うことにより、ガンマ特性、輝度、コントラストを損なうことなく静止画表示を行うことが可能でである一方、動画表示時において応答速度を改善し得る液晶表示装置の駆動方法を提供することができる。
【００２５】  本発明のさらに他の目的、特徴、および優れた点は、以下に示す記載によって十分わかるであろう。また、本発明の利益は、添付図面を参照した次の説明で明白になるであろう。
【図面の簡単な説明】
【００２６】
【図１】本発明における液晶表示装置の駆動方法の実施の一形態を示すものであり、動画表示時において低階調域をカットしたときの階調と輝度との関係を示す特性図である。
【図２】上記液晶表示装置の全体構成を示すブロック図である。
【図３】上記液晶表示装置におけるノーマリーブラック方式の動画表示時において、低階調域をカットしたときの（Ｖ０〜Ｖ３１→Ｖ３２）応答速度特性を示す３次元のグラフである。
【図４】上記液晶表示装置の動画表示時において低階調域をカットし、かつオーバードライブ駆動したときの応答波形を示す波形図である。
【図５（ａ）】前フレームにおいて０階調（黒）であったものを現フレームにおいて１２８階調（中間調）にする際にオーバードライブ駆動するときの画素に書き込まれる階調データと時間との関係を示す図である。
【図５（ｂ）】図５（ａ）により得られる液晶の応答波形を示す波形図である。
【図６】上記液晶表示装置における前フレームの映像データの階調値と現フレームの映像データの階調値に対応する、オーバードライブ駆動の出力データが格納されたルックアップテーブルを示す図である。
【図７】上記液晶表示装置において、動画表示時において高階調域をカットしたときの階調と輝度との関係を示す特性図である。
【図８】上記液晶表示装置におけるノーマリーホワイト方式の動画表示時において、高階調域をカットしたときの（Ｖ２４１〜Ｖ２５５→Ｖ２４０）応答速度特性を示す３次元のグラフである。
【図９】従来の液晶表示装置の駆動方法を示すものであり、オーバードライブ駆動を示す波形図である。
【図１０】上記液晶表示装置のノーマリーホワイト方式の動画表示時における、応答速度特性を示す３次元のグラフである。
【図１１】上記液晶表示装置のノーマリーブラック方式の動画表示時における、応答速度特性を示す３次元のグラフである。
【図１２】上記液晶表示装置における通常の階調と輝度との関係を示す特性図である。
【発明を実施するための最良の形態】
【００２７】  本発明の一実施形態について図１ないし図８に基づいて説明すれば、以下の通りである。【００２８】  本実施の形態の例えばアクティブマトリクス型の液晶表示装置１０は、図２に示すように、表示部１、ゲート駆動部２、ソース駆動部３、共通電極駆動部４、演算部５を有するコントロール部６、フレームメモリ７、ルックアップテーブル８、及びバックライト駆動部９を備えている。【００２９】  表示部１は、詳細な図示は省略するが、互いに平行するｅ本の走査信号線及び互いに平行するｆ本のデータ信号線と、マトリクス状に配置された画素とを有している。画素は、隣接する２本の走査信号線と隣接する２本のデータ信号線とで包囲された領域に形成される。【００３０】  ゲート駆動部２は、コントロール部６から出力されるゲートクロック信号及びゲートスタートパルスに基づいて各行の画素に接続された走査信号線に与える走査信号を順次発生する。【００３１】  ソース駆動部３は、コントロール部６から出力されるソースクロック信号及びソーススタートパルスに基いて、画像データ信号ＤＡＴをサンプリングし、得られた画像データを各列の画素に接続されたデータ信号線に出力する。【００３２】  コントロール部６は、入力される同期信号、画像データ信号ＤＡＴおよび動画／静止画判別信号ＭＳに基づき、ゲート駆動部２およびソース駆動部３の動作を制御するための各種の制御信号を生成し出力する回路である。コントロール部６から出力される制御信号としては、上述のように、各クロック信号、各スタートパルス、及び画像データ信号ＤＡＴ等がある。【００３３】  コントロール部６の演算部５は、動画表示時に画像データ信号ＤＡＴを変換する。演算部５におけるデータ変換は、例えば、ルックアップテーブル８に格納されるデータに基づいて行われる。なお、演算部５は、ソース駆動部３やゲート駆動部２等のドライバと一体化されることが可能である。また、外部にコントロールＩＣを持つ場合は、その一部とされることも可能である。さらに、表示部１内にモノリシック回路として作りこまれることも可能である。また、上記の例では、演算部５はコントロール部６の内部に設けられているが、必ずしもこれに限らず、コントロール部６の前に演算部５のみを配置して、階調処理や後述するブラック処理を行うことも可能である。【００３４】  ここで、コントロール部６は、動画表示時であるか否かについて、動画／静止画判別信号ＭＳを受取ることによって判断する。静止画の時は、コントロール部６は、階調の遷移を行わずに表示をすることが可能となり、ガンマ特性、輝度、コントラストを全く損なわずに表示を行うことが可能となる。【００３５】  上記動画／静止画判別信号ＭＳは、例えば、入力信号に１つ端子を用意して、Ｈｉｇｈの場合は動画とする一方、Ｌｏｗの場合は静止画とすることにより実現可能である。すなわち、コントロール部６は、ユーザーセット側から動画／静止画を表す例えば１ビットの信号を受けて動画であるか又は静止画であるかを判定することができる。【００３６】  なお、動画／静止画の判別については、必ずしもこれに限らず、例えば、動画／静止画を表すコマンドを受けてもよい。さらに、フレームメモリ７に１フレー���前のデータを格納しておき、現在フレームのデータと比較し、両者のデータに相違があれば動画モードであるとする判別方法を採用することも可能である。上記両者のデータに相違とは、例えば、所定階調以上の相違、又は一定画素数以上の相違である。【００３７】  一方、表示部１における各画素は、例えばＴＦＴ（Ｔｈｉｎ  Ｆｉｌｍ  Ｔｒａｎｓｉｓｔｏｒ：薄膜トランジスタ）等のスイッチング素子及び液晶容量等によって構成される。このような画素において、ＴＦＴのゲートが走査信号線に接続されると共に、ＴＦＴのドレイン及びソースを介してデータ信号線と液晶容量の一方の電極とが接続され、液晶容量の他方の電極が全画素に共通の共通電極線に接続されている。共通電極駆動部４は、この共通電極線に印加する電圧を供給する。【００３８】  上記液晶表示装置１０では、ゲート駆動部２が走査信号線を選択し、選択中の走査信号線とデータ信号線との組み合わせに対応する画素への画像データ信号ＤＡＴが、ソース駆動部３によってそれぞれのデータ信号線へ出力される。これによって、当該走査信号線に接続された画素へ、それぞれの画像データが書き込まれる。同様にして、ゲート駆動部２が各走査信号線を順次選択し、ソース駆動部３がデータ信号線へ画像データを出力する。この結果、表示部１の全画素にそれぞれの画像データが書き込まれることになり、表示部１に画像データ信号ＤＡＴに応じた画像が表示される。【００３９】  ここで、コントロール部６からソース駆動部３へ送られる画像データは、画像データ信号ＤＡＴとして時分割で伝送される。画像データをコントロール部６を介してソース駆動部３に送るときには、現フレームデータはフレームメモリ７に格納される。このフレームメモリ７に格納された１フレーム分のフレームデータは、演算部５がオーバードライブ駆動をする際に、前フレームデータとの比較を行うために使用される。【００４０】  ソース駆動部３は、タイミング信号となるソースクロック信号と反転ソースクロック信号とソーススタートパルスとに基づいたタイミングで、画像データ信号ＤＡＴから各画像データを抽出し、それぞれの画素へ送出している。【００４１】  ところで、例えばノーマリーブラック方式の場合、低階調からより高い階調へ移行するとき、応答速度が遅くなることが知られており、このことが動画表示において問題となっている。上記応答速度は、特に、その両方の階調（つまり、変化前階調と変化後階調）が低いレベルにあるときに遅くなる。逆に、ノーマリーホワイト方式の場合は、高階調からより低い階調への移行の時、特にその両方の階調が高いレベルにあるときに応答速度が遅くなることが知られている。【００４２】  そこで、本実施の形態では、まず、静止画表示時には、前記図１４に示す従来の通常の階調−輝度曲線にて表示を行う一方、動画表示時においては、その応答速度が遅くなるレベルを使わずに表示を行うことにより、応答速度を改善している。【００４３】  具体的には、例えば、全階調数が２５６階調であるとき、ノーマリーブラック方式において階調０〜３１に相当する印加電圧Ｖ０〜Ｖ３１の応答が特に遅いとする。この場合、この３２個の階調の印加電圧Ｖ０〜Ｖ３１を、階調３２に相当する���加電圧Ｖ３２と同一の電圧に引き上げる。【００４４】  この結果、階調と輝度との関係は、図１に示すようになる。また、この場合の応答速度は、図３に示すように、従来技術の図１１に比較して、各開始階調値０〜３２から到達階調値３２〜６４、又は到達階調値６４〜９４への遷移において改善されていることがわかる。【００４５】  加えて、例えば、オーバードライブ駆動を行うことにより、図４に示すように、動画表示時において非常に良好に応答速度を改善することが可能となる。また、それ以外の階調印加電圧（Ｖ３２〜Ｖ２５５）は変化をさせない場合、表示部１のガンマ特性は変わらず、良好な表示を維持することが可能である。【００４６】  ここで、オーバードライブ駆動について説明する。オーバードライブ駆動とは、図５（ａ）に示すように、現在フレームのデータと１つ前のフレームのデータとを比較し、その関係から導かれる補正データを印加する駆動方法である。その関係とは、正確には、「１つ前のフレーム（以下、「前フレーム」という。）の階調と現在フレーム（以下、「現フレーム」という。）の入力データの階調との差よりも大きな差になるような階調を印加する」ことをいう。例えば、前フレームの階調がＶ０であって、現在フレームの入力データの階調がＶ１２８の場合、例えば階調Ｖ１６０を印加するような駆動である。このような階調値を印加することにより、図５（ｂ）に示すように、立ち上がりの早い液晶応答波形が得られる。【００４７】  このように、オーバードライブ駆動は階調が変わった直後の１フレームのみ、通常と違った電圧を印加する駆動方式である。また、その電圧の変化量は、変化前の階調と変化後の階調との関係によって変化するため、ある階調の輝度が定常的に一定の値に変化するわけではない。【００４８】  このオーバードライブ駆動のために通常の所望階調用印加電圧よりも高い電圧を印加するための階調値、つまり変化前の階調と変化後の階調との関係によって求まる階調値は、演算にて得ることができる。しかし、必ずしもこれに限らず、図６に示すように、ルックアップテーブル８を用いて算出することも可能である。【００４９】  なお、本実施の形態では、オーバードライブ駆動を行っているが、本発明では、必ずしもオーバードライブ駆動を行わなくてもよい。【００５０】  また、上記の説明では、ノーマリーブラック方式の場合で説明したが、必ずしもこれに限らず、ノーマリーホワイト方式についても、同様の考え方によって行うことができる。【００５１】  すなわち、ノーマリーホワイト方式の場合は、高階調からより低い階調への移行の時、特にその両方の階調が高いレベルにあるときに応答速度が遅くなることが知られており、このことが動画表示において問題となっている。【００５２】  したがって、その応答速度が遅くなるレベルを使わずに表示を行うことにより、応答速度を改善することができる。【００５３】  具体的には、例えば全２５６階調の表示部１において、階調Ｖ２５５〜Ｖ２４１の応答が特に遅い場合、この１５個の階調の印加電圧を階調Ｖ２４０と同一の電圧に引き上げる。この結果、階調と輝度との関係は、図７に示すようになる。また、この場合の応答速度は、図８に示すように、従来��術の図１０に比較して、各開始階調値２５５〜２２４から到達階調値２５５〜２２４、又は到達階調値２２４〜１９２への遷移において改善されていることがわかる。【００５４】  また、それ以外の階調（Ｖ０〜Ｖ２４０）は変化をさせない場合、表示部１のガンマ特性は変わらず、良好な表示を維持することが可能である。【００５５】  このように、本実施の形態の液晶表示装置１０の駆動方法では、静止画表示時において、例えば、ノーマリーブラック方式のときに階調出力としては低い電圧を印加することができるけれども、動画表示時においてその部分を使わずに所定の電圧だけ高い階調のみを使用するという部分が特徴的である。【００５６】  すなわち、液晶駆動回路では、各階調の印加電圧を生成しているが、基本的には各階調電圧は固定である。前記日本国公開特許公報「特開２００４−７８１２９号公報（２００４年３月１１日公開）」では、予め所定の電圧だけ高いところから階調電圧の設定を行っているが、本実施の形態では、通常と同様の電圧から階調電圧を設定しておいて、高速応答を行うときに、所定の電圧以下の階調を使用しない。これにより、簡易に高速応答を実現することができる。また、高速応答が必要ではないときには所定の電圧以下の階調も使えるので、よりコントラストの高い（場合によっては輝度の高い）表示を行うことが可能である。【００５７】  また、従来の駆動回路はもちろん所定の電圧以下の部分を表示に使っており、そういった駆動回路を持った液晶表示装置に対し、本実施の形態の技術を使うことによって、駆動回路の変更がなく、高速応答を実現することが可能になる。【００５８】  また、本実施の形態では、表示部１の動画応答をメモリや大規模な演算回路を必要とせず簡易な方法で改善できるため、部品点数の増加を抑えられ、部品コスト、実装面積、実装コストを抑えることができる。例えば、本機能を駆動ドライバ内に組み込んだ場合は部品点数、コストの増加がなく実現可能となる。さらに、メモリや演算回路を駆動する必要がないため、低消費電力を実現することができる。【００５９】  また、駆動電圧を同一化された階調以外の階調は通常通りの駆動となるため、階調ガンマ特性の良好な表示が得られる。【００６０】  さらに、動画／静止画を表す何らかの信号により、動画、静止画を判定し、静止画の場合は全ての階調で通常駆動を行うことにより、ガンマ特性、輝度、コントラストを全く損なわずに表示を行うことが可能となる。【００６１】  また、静止画の時にオーバードライブ用のメモリ駆動、演算回路駆動、メモリへの電源供給を休止することにより、電力増加を抑えることが可能となる。【００６２】  このように、本実施の形態の液晶表示装置１０では、静止画表示時に、階調０〜２５５からなる２５６種の全階調に対して各階調に相当する印加電圧を画素に出力する一方、動画表示時には、所定階調３２未満の各階調に相当する各印加電圧に代えて該所定階調３２に相当する印加電圧を画素に出力する。【００６３】  このため、静止画表示時においては、通常の階調を表示することができる。一方、動画表示時には、所定階調３２未満の各階調に相当する各印加電圧に代えて該所定階調３２に相当する印加電圧を画素に出力するので、所定階調３２未満の各階調に相当する各印加電圧を使用しない。したがって、応答速度を改善することができる。【００６４】  さらに、所定階調３２未満の各階調に相当する各印加電圧を使用しないので、例えばオーバードライブ駆動を行った場合には、所謂角応答を防止することができる。【００６５】  この結果、静止画及び動画のいずれにおいても、表示品質の低下を招くことなく、かつ動画表示時において応答速度を改善し得る液晶表示装置１０の駆動方法を提供することができる。【００６６】  また、本実施の形態の液晶表示装置１０の駆動方法では、液晶表示装置１０は例えばノーマリーブラック方式を採用している。【００６７】  これにより、ノーマリーブラック方式の場合には低階調域において応答速度が遅くなるので、その応答速度を改善することができる。【００６８】  また、本実施の形態の液晶表示装置１０の駆動方法では、全階調が階調０（黒）〜２５５（白）からなる場合において、ノーマリーブラック方式のときには、所定階調ｍは、１≦ｍ≦３２であることが好ましい。【００６９】  これにより、ノーマリーブラック方式において、所定階調ｍが、１≦ｍ≦３２であるときに、応答速度の改善効果が得られる。【００７０】  また、本実施の形態の液晶表示装置１０の駆動方法では、全階調が階調０（黒）〜２５５（白）からなる場合において、ノーマリーブラック方式のときには、所定階調ｍは、９≦ｍ≦１５であることがさらに好ましい。【００７１】  これにより、ノーマリーブラック方式において、所定階調ｍが、９≦ｍ≦１５であるときに、応答速度の改善効果が得られると共に、コントラストの低下が少なく、画質低下の影響が少なくなる。例えば、階調のγ特性が２．２に調整されており、初期コントラスト２００以上のディスプレイの場合、９≦ｍ≦１５においてコントラストの低下が３０％以下に抑えられる。【００７２】  また、本発明の液晶表示装置の駆動方法では、所定階調ｍ〜階調（ｎ−１）に相当する印加電圧は、静止画表示時における、所定階調ｍ〜階調（ｎ−１）に相当する静止画用印加電圧と同一であることが好ましい。【００７３】  具体的には、本実施の形態の液晶表示装置１０の駆動方法では、所定階調３２〜階調２５５に相当する印加電圧は、静止画表示時における、所定階調３２〜階調２５５に相当する静止画用印加電圧と同一であることが好ましい。【００７４】  これにより、所定階調ｍ（＝３２）〜階調（ｎ−１）（＝２５５）に相当する印加電圧については、静止画表示時における、所定階調ｍ（＝３２）〜階調（ｎ−１）（＝２５５）に相当する静止画用印加電圧を使用するので、静止画表示時における階調輝度特性を使用することができ、表示品位が変わることはない。【００７５】  また、本実施の形態の液晶表示装置１０の駆動方法は、静止画表示時に、階調０〜２５５からなる２５６種の全階調に対して各階調に相当する印加電圧を画素に出力する一方、動画表示時には、所定階調２４１以上の各階調に相当する各印加電圧に代えて該所定階調２４０に相当する印加電圧を画素に出力することが可能である。【００７６】  また、本実施の形態の液晶表示装置１０では、液晶表示装置１０はノーマリーホワイト方式を採用��ていてもよい。【００７７】  また、本実施の形態の液晶表示装置１０の駆動方法では、全階調が階調０（黒）〜２５５（白）からなる場合において、ノーマリーホワイト方式のときには、所定階調ｑは、２２４≦ｑ≦２５５であることが好ましい。【００７８】  また、本実施の形態の液晶表示装置１０の駆動方法では、全階調が階調０（黒）〜２５５（白）からなる場合において、ノーマリーホワイト方式のときには、所定階調ｑは、２４１≦ｑ≦２４７であることが好ましい。【００７９】  また、本発明の液晶表示装置の駆動方法では、所定階調ｑ−１〜階調０に相当する印加電圧は、静止画表示時における、所定階調ｑ−１〜階調０に相当する印加電圧と同一であることが好ましい。【００８０】  具体的には、本実施の形態の液晶表示装置１０の駆動方法では、所定階調２４０〜階調０に相当する印加電圧は、静止画表示時における、所定階調２４０〜階調０に相当する印加電圧と同一であることが好ましい。【００８１】  これらにより、ノーマリーホワイト方式においてもノーマリーブラック方式と同様に、静止画及び動画のいずれにおいても、表示品質の低下を招くことなく、かつ動画表示時において応答速度を改善し得る液晶表示装置１０の駆動方法を提供することができる。【００８２】  また、本実施の形態の液晶表示装置１０の駆動方法では、静止画動画判定信号に基いて、静止画であるか又は動画であるかを判定することが好ましい。【００８３】  これにより、静止画動画判定信号を取得して、容易に静止画又は動画を判定し、静止画の場合は全ての階調で通常駆動を行うことにより、ガンマ特性、輝度、コントラストを損なうことなく静止画表示を行うことが可能である一方、動画表示時において応答速度を改善し得る液晶表示装置１０の駆動方法を提供することができる。【００８４】  尚、発明を実施するための最良の形態の項においてなした具体的な実施態様または実施例は、あくまでも、本発明の技術内容を明らかにするものであって、そのような具体例にのみ限定して狭義に解釈されるべきものではなく、本発明の精神と特許請求の範囲内で、いろいろと変更して実施することができるものである。
【産業上の利用可能性】
【００８５】  本発明は、例えばアクティブマトリクス型等の液晶表示装置の駆動方法に用いることができる。
【図１】
0004515503.tif 000002
【図２】
0004515503.tif 000003
【図３】
0004515503.tif 000004
【図４】
0004515503.tif 000005
【図５（ａ）】
0004515503.tif 000006
【図５（ｂ）】
0004515503.tif 000007
【図６】
0004515503.tif 000008
【図７】
0004515503.tif 000009
【図８】
0004515503.tif 000010
【図９】
0004515503.tif 000011
【図１０】
0004515503.tif 000012
【図１１】
0004515503.tif 000013
【図１２】
0004515503.tif 000014